(57)【特許請求の範囲】
【請求項１】
６つの平面部材を組み合わせて形成される箱型構造体であって、
前記６つの平面部材のうち、前記箱型構造体の１辺を構成する少なくとも１組の隣接する平面部材のそれぞれは、所定の間隔で離間した複数の凸部を備え、
前記隣接する平面部材の一方の平面部材の複数の凸部と、前記隣接する平面部材の他方の平面部材の凸部によって相対的に形成される凹部とが略垂直に相互に嵌合されることによって、前記隣接する平面部材が相互に結合され、前記箱型構造体の前記１辺が形成され、
前記複数の凸部のそれぞれは、グルーミングおよびマーキングのための少なくとも１つの突起を有し、
前記隣接する平面部材の前記一方の平面部材の複数の凸部のそれぞれの少なくとも１つの突起は、前記隣接する平面部材の前記一方の平面部材が前記隣接する平面部材の前記他方の平面部材と嵌合したときに、前記隣接する平面部材の前記他方の平面部材よりも突出するように延在する、箱型構造体。
【請求項２】
前記６つの平面部材の少なくとも１つは、孔状に切り抜き可能な切り込みを備える、請求項１に記載の箱型構造体。
【請求項３】
前記切り込みは、少なくとも１つの突起を有する、請求項２に記載の箱型構造体。
【請求項４】
前記６つの平面部材の少なくとも１つは、孔を備える、請求項１に記載の箱型構造体。
【請求項５】
前記孔の周縁は、少なくとも１つの突起を有する、請求項４に記載の箱型構造体。
【請求項６】
前記６つの平面部材のそれぞれの表面は、ラミネート加工されている、請求項１〜５のいずれかに記載の箱型構造体。
【請求項７】
前記６つの平面部材の各々は、各辺上に、所定の間隔で離間した複数の凸部を備える、請求項１〜６のいずれかに記載の箱型構造体。
【請求項８】
前記６つの平面部材のうち、前記箱型構造体の前記１辺と異なる別の１辺を構成する少なくとも１組の隣接する平面部材は、連続している、請求項１に記載の箱型構造体。
【請求項９】
第１の箱型構造体と第２の箱型構造体との連結の強度を向上させるための連結補助具であって、
前記第１の箱型構造体は、６つの第１の平面部材を組み合わせて形成され、前記６つの第１の平面部材のうち、前記第１の箱型構造体の１辺を構成する少なくとも１組の隣接する平面部材のそれぞれは、所定の間隔で離間した第１の複数の凸部を備え、前記第１の箱型構造体の隣接する平面部材の一方の平面部材の第１の複数の凸部と、前記第１の箱型構造体の隣接する平面部材の他方の平面部材の第１の複数の凸部によって相対的に形成される第１の凹部とが略垂直に相互に嵌合されることによって、前記第１の箱型構造体の隣接する平面部材が相互に結合され、前記第１の箱型構造体の前記１辺が形成され、
前記第２の箱型構造体は、６つの第２の平面部材を組み合わせて形成され、前記６つの第２の平面部材のうち、前記第２の箱型構造体の１辺を構成する少なくとも１組の隣接する平面部材のそれぞれは、所定の間隔で離間した第２の複数の凸部を備え、前記第２の箱型構造体の隣接する平面部材の一方の平面部材の第２の複数の凸部と、前記第２の箱型構造体の隣接する平面部材の他方の平面部材の第２の複数の凸部によって相対的に形成される第２の凹部とが略垂直に相互に嵌合されることによって、前記第２の箱型構造体の隣接する平面部材が相互に結合され、前記第２の箱型構造体の前記１辺が形成され、
前記第１の箱型構造体の前記第１の複数の凸部の少なくとも一部、および、前記第２の箱型構造体の前記第２の複数の凸部の少なくとも一部は、前記連結補助具が前記第１の箱型構造体と前記第２の箱型構造体とを連結するときに、相互に平行に配置されており、
前記連結補助具は、相互に平行に配置される前記第１の箱型構造体の前記第１の複数の凸部の少なくとも一部と前記第２の箱型構造体の前記第２の複数の凸部の少なくとも一部とを保持するように構成されている保持部材を備える、連結補助具。
【請求項１０】
相互に平行に配置される前記第１の箱型構造体の前記第１の複数の凸部の少なくとも一部および前記第２の箱型構造体の前記第２の複数の凸部の少なくとも一部は、段違いに突出するように配置されており、
前記保持部材は、段違いに突出するように配置された前記第１の箱型構造体の前記第１の複数の凸部の少なくとも一部と前記第２の箱型構造体の前記第２の複数の凸部の少なくとも一部とを保持するように構成されている、請求項９に記載の連結補助具。
【請求項１１】
前記保持部材は、前記第１の箱型構造体の前記第１の複数の凸部の少なくとも一部と前記第２の箱型構造体の前記第２の複数の凸部の少なくとも一部とを保持するための保持力を向上させるための１つ以上の突出部をさらに備える、請求項９または請求項１０に記載の連結補助具。
【請求項１２】
箱型構造体のためのキットであって、前記キットは、
複数の平面部材であって、前記複数の平面部材のそれぞれは、所定の間隔で離間した複数の凸部を備え、前記複数の凸部のそれぞれは、グルーミングおよびマーキングのための少なくとも１つの突起を有する、複数の平面部材
を備え、
前記複数の平面部材の第１の平面部材の前記複数の凸部と、前記複数の平面部材の第２の平面部材の凸部によって相対的に形成される１つ以上の凹部とが略垂直に相互に嵌合されることによって、前記第１の平面部材と前記第２の平面部材とが相互に結合され、前記箱型構造体の１辺が形成され、
前記複数の平面部材の前記第１の平面部材の複数の凸部のそれぞれの少なくとも１つの突起は、前記複数の平面部材の前記第１の平面部材が前記複数の平面部材の前記第２の平面部材と嵌合したときに、前記複数の平面部材の前記第２の平面部材よりも突出するように延在する、キット。
【請求項１３】
請求項９〜１１のいずれかに記載の連結補助具をさらに備える、請求項１２に記載のキット。
【発明の詳細な説明】
【技術分野】
【０００１】
本発明は、６つの平面部材を組み合わせて形成される箱型構造体に関する。
【背景技術】
【０００２】
近年、自宅で過ごす時間が増えたり、ペットと共生できるマンションが増えたりした影響で、ペット（例えば、猫）と共に暮らすユーザが増えてきている（例えば、非特許文献１を参照）。
【先行技術文献】
【非特許文献】
【０００３】
【非特許文献１】一般社団法人ペットフード協会、“２０２０年（令和２年）全国犬猫飼育実態調査  結果”、［online］、［令和３年２月１１日検索］、インターネット<URL:https://www.google.com/url?sa=t&rct=j&q=&esrc=s&source=web&cd=&ved=2ahUKEwih8_O8guLuAhVTE4gKHaN8DsEQFjAAegQIAxAC&url=https%3A%2F%2Fpetfood.or.jp%2Ftopics%2Fimg%2F201223.pdf&usg=AOvVaw1a7KabZw1p8yXH3Xz4qu5D>
【発明の概要】
【発明が解決しようとする課題】
【０００４】
ペットを飼育するためには、ペットフードだけではなく、ペットを飼育する環境も重要である。従って、ペット用品の需要が高まってきており、ペットの習性に合ったペット用品を提供する必要がある。
【０００５】
本発明は、上述した課題に鑑みてなされたものであり、を提供することを目的とする。
【課題を解決するための手段】
【０００６】
本発明の１つの局面において、本発明の箱型構造体は、６つの平面部材を組み合わせて形成される箱型構造体であり、前記６つの平面部材のうち、前記箱型構造体の１辺を構成する少なくとも１組の隣接する平面部材のそれぞれは、所定の間隔で離間した複数の凸部を備え、前記隣接する平面部材の一方の平面部材の複数の凸部と、前記隣接する平面部材の他方の平面部材の凸部によって相対的に形成される凹部とが略垂直に相互に嵌合されることによって、前記隣接する平面部材が相互に結合され、前記箱型構造体の前記１辺が形成される。
【０００７】
本発明の１つの実施形態では、前記複数の凸部のそれぞれは、少なくとも１つの突起を有していてもよい。
【０００８】
本発明の１つの実施形態では、前記６つの平面部材の少なくとも１つは、孔状に切り抜き可能な切り込みを備えていてもよい。
【０００９】
本発明の１つの実施形態では、前記切り込みは、少なくとも１つの突起を有していてもよい。
【００１０】
本発明の１つの実施形態では、前記６つの平面部材の少なくとも１つは、孔を備えていてもよい。
【００１１】
本発明の１つの実施形態では、前記孔の周縁は、少なくとも１つの突起を有していてもよい。
【００１２】
本発明の１つの実施形態では、前記６つの平面部材のそれぞれの表面は、ラミネート加工されていてもよい。
【００１３】
本発明の１つの実施形態では、前記６つの平面部材の各々は、各辺上に、所定の間隔で離間した複数の凸部を備えていてもよい
【００１４】
本発明の１つの実施形態では、前記６つの平面部材のうち、前記箱型構造体の前記１辺と異なる別の１辺を構成する少なくとも１組の隣接する平面部材は、連続していてもよい。
【００１５】
本発明の１つの局面において、本発明の連結補助具は、第１の箱型構造体と第２の箱型構造体との連結の強度を向上させるための連結補助具であり、前記第１の箱型構造体および前記第２の箱型構造体のそれぞれは、請求項１〜９のいずれかの記載の箱型構造体であり、前記連結補助具は、前記第１の箱型構造体と前記第２の箱型構造体とを連結するときに形成される少なくとも１組の隣接する凸部を保持するように構成され、前記隣接する凸部のうちの一方の凸部は、前記第１の箱型構造体の凸部であり、前記隣接する凸部のうちの他方の凸部は、前記第２の箱型構造体の凸部である。
【００１６】
本発明の１つの実施形態では、前記第１の箱型構造体と前記第２の箱型構造体とは、前記少なくとも１組の隣接する凸部が段違いに配置されるように、相互に連結され、前記連結補助具は、前記少なくとも１組の隣接する段違いの凸部を保持するように構成されていてもよい。
【００１７】
本発明の１つの局面において、本発明のキットは、箱型構造体のためのキットであり、前記キットは、複数の平面部材であって、前記複数の平面部材のそれぞれは、所定の間隔で離間した複数の凸部を備える、複数の平面部材を備え、前記複数の平面部材の第１の平面部材の前記複数の凸部と、前記複数の平面部材の第２の平面部材の凸部によって相対的に形成される１つ以上の凹部とが略垂直に相互に嵌合されることによって、前記第１の平面部材と前記第２の平面部材とが相互に結合され、前記箱型構造体の１辺が形成される。
【００１８】
本発明のキットは、上記の連結補助具をさらに備えていてもよい。
【発明の効果】
【００１９】
本発明によれば、６つの平面部材を組み合わせて形成される箱型構造体を提供することが可能である。
【図面の簡単な説明】
【００２０】
【図１Ａ】箱型構造体１００の斜視図。
【図１Ｂ】箱型構造体１００を構成する１つの平面部材の平面図。
【図２】２つの箱型構造体を連結した構成の一例を示す図。
【図３】連結補助具を用いて連結が強化された２つの箱型構造体の構成の一例を示す図。
【図４】第１の箱型構造体と第２の箱型構造体との連結の強度を向上させるための連結補助具の構成の一例を示す図。
【発明を実施するための形態】
【００２１】
以下、本明細書において用いられる用語を定義する。
【００２２】
本明細書において「約」とは、他の態様で明示されない限り、示された値の±１０％を指す。
【００２３】
以下、図面を参照しながら、本発明の実施の形態を説明する。
【００２４】
図１Ａおよび図１Ｂは、本発明の箱型構造体１００の構成の一例を示す。図１Ａは、箱型構造体１００の斜視図である。図１Ｂは、箱型構造体１００を構成する１つの平面部材の平面図である。
【００２５】
図１Ａおよび図１Ｂに示される実施形態では、箱型構造体１００は、６つの平面部材１１０を組み合わせて形成されている。図１Ａおよび図１Ｂに示される実施形態では、箱型構造体１００の各平面部材は、各辺に、所定の間隔で離間した３つの凸部１２０と、凸部１２０によって相対的に形成される３つの凹部１３０とを備える。図１Ａに示されるように、１組の隣接する平面部材の３つの凸部１２０と３つの凹部１３０とが略垂直に嵌合されることによって、その１組の隣接する平面部材が相互に結合され、これにより、箱型構造体１００の１辺が形成される。図１Ａおよび図１Ｂに示される実施形態では、隣接する平面部材のこのような嵌合が、箱型構造体１００の各辺において形成されている。隣接する平面部材のこのような嵌合を利用することにより、ユーザは、接着剤等の追加の材料を必要とすることなく、より簡単に短時間で箱型構造体１００を組み立てることが可能であり、箱型構造体１００は、接着剤等の使用しないため、衛生的でもある。なお、本明細書において、２つの部材が「略垂直に嵌合する」とは、２つの部材が約９０度で嵌合することをいう。
【００２６】
図１Ａおよび図１Ｂに示される実施形態では、箱型構造体１００の各平面部材１１０の各凸部１２０は、ギザギザ形状を有する。これにより、例えば、猫は、凸部１２０のギザギザ形状に身体をこすりつけ、自身の匂いを箱型構造体１００に付け、容易にグルーミングおよびマーキングをすることが可能である。また、マットや毛布や絨毯等に下方向きの凸部１２０のギザギザ形状が刺さることによって、凸部１２０のギザギザ形状が滑り止めの役割も果たし得る。
【００２７】
各平面部材１１０のサイズは、例えば、ペット（例えば、猫）が箱型構造体１００の平面部材１１０に背中を押し付けて寝ることができる大きさであることが好ましい。各平面部材１１０のサイズは、例えば、約２９０ｍｍ×約２９０ｍｍ〜約３１０ｍｍ×約３１０ｍｍであり得るが、これに限定されない。各平面部材１１０は、例えば、紙製、プラスチック製（例えば、土中の微生物によって分解可能な生分解性プラスチック）、木製であり得る。各平面部材１１０の表面は、ラミネート加工されていてもよい。これにより、猫は、平面部材１１０の表面を舐めたり、平面部材１１０の表面をひっかいて爪とぎをしたりすることが可能である。平面部材１１０の表面には、任意の色および／または模様が印刷されていてもよい。
【００２８】
図１Ａおよび図１Ｂに示される実施形態では、箱型構造体１００の平面部材１１０は、孔１４０を備える。平面部材１１０に孔１４０を設けることにより、ペット（例えば、猫）は、箱型構造体１００の中に進入したり、箱型構造体１００の中に滞在したり（例えば、寝る）、箱型構造体１００の中から出たりすることが可能である。孔１４０の直径は、ペットが通過するときに孔のギザギザ形状に触れる（または掠る）程度の大きさであることが好ましい。孔１４０の直径は、例えば、約１２０ｍｍであり得るが、これに限定されない。孔１４０の直径は、箱型構造体１００の強度が過度に損なわれないかつペットが通過することができる限り、任意の大きさであり得る。
【００２９】
図１Ａおよび図１Ｂに示される実施形態では、孔１４０は、周縁にギザギザ形状を有する。これにより、例えば、猫は、凸部１２０のギザギザ形状に身体をこすりつけ、自身の匂いを箱型構造体１００に付け、容易にグルーミングおよびマーキングをすることが可能である。
【００３０】
図１Ａおよび図１Ｂに示される実施形態では、孔１４０は、略円形であるが、これに限定されない。孔１４０は、任意の形状であり得る。例えば、孔１４０は、楕円形であってもよいし、正八角形であってもよいし、四角形であってもよいし、三角形であってもよい。
【００３１】
なお、図１Ａおよび図１Ｂに示される実施形態では、凸部１２０のギザギザ形状の山の先端は、アール加工されることによって丸みを帯びているが、本発明はこれに限定されない。凸部１２０のギザギザ形状の山の先端は、例えば、尖っていてもよいし、尖っていなくてもよい。また、図１に示される実施形態では、各凸部１２０のギザギザ形状は、５つの山を有するが、本発明はこれに限定されない。各凸部１２０のギザギザ形状の山の数は、１以上の任意の数であり得る。また、図１Ａおよび図１Ｂに示される実施形態では、孔１４０が周縁にギザギザ形状を有する例を説明したが、本発明はこれに限定されない。孔１４０の周縁は、例えば、凹凸のない形状であってよいし、正弦波形状であってもよい。また、図１Ａおよび図１Ｂに示される実施形態では、箱型構造体１００の各平面部材１１０が３つの凸部１２０を備える例を説明したが、本発明はこれに限定されない。例えば、箱型構造体１００の各平面部材１１０の凸部１２０の数は、隣接する平面部材１１０が相互に結合されることが可能である限り、２以上の任意の数であり得る。
【００３２】
また、図１Ａおよび図１Ｂに示される実施形態では、凸部１２０および孔１４０がギザギザ形状を有する例を説明したが、本発明はこれに限定されない。凸部１２０および孔１４０は、少なくとも１つの突起を有する。少なくとも１つの突起は、例えば、連続して角張って繰り返される幾何学形状（例えば、三角形が連続して繰り返されるギザギザ形状、四角形が連続して繰り返される棒グラフ形状）、連続して滑らかに繰り返される正弦波形状、および、連続して繰り返されない幾何学形状（例えば、１つの三角形形状、１つの台形形状）を含み得る。例えば、猫は、少なくとも１つの突起に身体をこすりつけ、自身の匂いを箱型構造体１００に付け、容易にグルーミングおよびマーキングをすることが可能である。
【００３３】
また、図１Ａおよび図１Ｂに示される実施形態では、箱型構造体１００の平面部材１１０が各辺に凸部１２０を備える例を説明したが、本発明はこれに限定されない。例えば、箱型構造体１００の平面部材１１０は、少なくとも１辺に凸部１２０を備えていてもよいし、各辺に凸部１２０を備えていなくてもよい（すなわち、箱型構造体１００は、隣接する平面部材と連続する平面部材を備えていてもよい）。箱型構造体１００の少なくとも１辺が、隣接する平面部材が相互に連続して形成されていてもよい。
【００３４】
また、図１Ａおよび図１Ｂに示される実施形態では、箱型構造体１００の平面部材が孔１４０を備える例を説明したが、本発明はこれに限定されない。例えば、箱型構造体１００の平面部材は、孔１４０を備えていなくてもよいし、切り抜くことにより形成されることが可能な孔（すなわち、孔状に切り抜き可能な切り込み）を備えていてもよい。
【００３５】
図２は、２つの箱型構造体を連結した構成の一例を示す。
【００３６】
図２に示される実施形態では、第１の箱型構造体１００の上に第２の箱型構造体１００’が連結されている。第１の箱型構造体１００の上方向の凸部１２０が第２の箱型構造体１００’の対応する凹部１３０と相互に嵌合し、かつ、第２の箱型構造体１００’の下方向の凸部１２０が第１の箱型構造体１００の対応する凹部１３０と相互に嵌合することによって、第１の箱型構造体１００と第２の箱型構造体１００’との連結が達成される。ユーザは、例えば、図２に示される連結された箱型構造体をマンションの一室の壁一面に置いてペット（例えば、猫）用のジャングルジムを作成することが可能である。
【００３７】
図３は、連結補助具を用いて連結が強化された２つの箱型構造体の構成の一例を示す。
【００３８】
図２に示される第１の箱型構造体１００と第２の箱型構造体１００’との間の連結部には、第１の箱型構造体１００の凸部１２０と第２の箱型構造体１００’の凸部１２０とが水平方向に突出している。図２、図３に示される実施形態では、第１の箱型構造体１００の凸部１２０と第２の箱型構造体１００’の凸部１２０とが段違いに突出している。図３に示されるように、第１の箱型構造体１００と第２の箱型構造体１００’との連結の強度を向上させるための連結補助具が、第１の箱型構造体１００と第２の箱型構造体１００’との間の連結部に適用され、これにより、第１の箱型構造体１００と第２の箱型構造体１００’との連結をより強固にすることが可能である。
【００３９】
図４は、第１の箱型構造体と第２の箱型構造体との連結の強度を向上させるための連結補助具の構成の一例を示す。
【００４０】
連結補助具１５０は、第１の箱型構造体１００と第２の箱型構造体１００’とを隣接して連結するときに、第１の箱型構造体１００と第２の箱型構造体１００’との間の連結部において、第１の箱型構造体１００の凸部１２０と第２の箱型構造体１００’の凸部１２０との両方を保持するように構成されている。図４に示される実施形態では、連結補助具１５０は、隣接する第１の箱型構造体１００の凸部１２０と第２の箱型構造体１００’の凸部１２０との両方を保持する保持部材１６０を備える。連結補助具１５０が第１の箱型構造体１００および第２の箱型構造体１００’の少なくとも１組の水平方向の隣接する凸部１２０を保持することによって、第１の箱型構造体１００および第２の箱型構造体１００’の上下方向の凸部１２０と対応する凹部１３０との相互嵌合と相俟って、第１の箱型構造体１００と第２の箱型構造体１００’との間の嵌合をより強固にすることが可能である。
【００４１】
また、図４に示される実施形態では、連結補助具１５０の保持部材１６０は、第１の箱型構造体１００および第２の箱型構造体１００’の隣接する段違いの凸部１２０を保持するように構成されている段違いの保持部材１６０である。連結補助具１５０が段違いの保持部材１６０を備えることにより、あらゆる方向の応力に耐えることができる連結された箱型構造体を実現することが可能である。
【００４２】
図４に示されるように、連結補助具１５０は、保持部材１６０上に、１つ以上の突出部１７０を備えていてもよい。これにより、１つ以上の突出部１７０が第１の箱型構造体１００および第２の箱型構造体１００’の凸部１２０に接触し、連結補助具１５０および１つ以上の突出部１７０が協働して第１の箱型構造体１００および第２の箱型構造体１００’の凸部１２０を保持することによって、連結補助具１５０の保持力を向上させることが可能である。
【００４３】
なお、図３、図４に示される実施形態では、連結補助具１５０が猫を模した形状を有しているが、本発明は、これに限定されない。連結補助具１５０は、連結補助具１５０が第１の箱型構造体１００および第２の箱型構造体１００’の凸部１２０を保持または挟持することが可能である限り、任意の形状を有する。例えば、連結補助具１５０の形状は、猫以外の動物を模した形状であってもよいし、単純な幾何学形状（例えば、円形、楕円形、四角形、三角形）であってもよいし、凸部１２０を挟み込む形状（例えば、洗濯バサミのような形状を有するクリップ）であってもよい。
【００４４】
また、図４に示される実施形態では、連結補助具１５０は、第１の箱型構造体１００および第２の箱型構造体１００’の隣接する段違いの凸部１２０に対応して、段違いの保持部材１６０を備えているが、本発明はこれに限定されない。連結補助具１５０は、第１の箱型構造体１００および第２の箱型構造体１００’の隣接する凸部１２０の配置に対応する保持部材１６０を備え得る。
【００４５】
また、図１〜図３を参照して説明された箱型構造体１００の複数の平面部材１１０を備えるキットが提供されてもよい。また、図１〜図３を参照して説明された第１の箱型構造体１００の複数の平面部材と、図２、図３を参照して説明された第２の箱型構造体１００’の複数の平面部材とを備えるキットが提供されてもよい。これにより、ユーザは、図１Ａに示されるような箱型構造体を簡単に作成することが可能である。さらに、これらのキットが、図３、図４を参照して説明された連結補助具１５０をさらに備えていてもよい。これにより、ユーザは、図３に示されるような連結された箱型構造体を簡単に作成することが可能である。
【００４６】
また、第１の箱型構造体１００の孔１４０および第２の箱型構造体１００’の対応する孔１４０を覆うように接続することが可能な通路（図示せず）が、上記のキットに追加して提供されてもよい。これにより、ユーザは、箱型構造体間の通路付きの連結された箱型構造体をより容易に作成することが可能であり、ペットは、通路内部を通って箱型構造体間を行き来することが可能である。通路は、例えば、伸縮可能な（例えば、蛇腹状の）通路であり得る。
【００４７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００４８】
本発明は、６つの平面部材を組み合わせて形成される箱型構造体等を提供するものとして有用である。
【符号の説明】
【００４９】
１００  箱型構造体
１１０  平面部材
１２０  凸部
１３０  凹部
１４０  孔
１５０  連結補助具
１６０  保持部材
１７０  突出部
【要約】
【課題】６つの平面部材を組み合わせて形成される箱型構造体を提供すること。
【解決手段】本発明の箱型構造体は、６つの平面部材を組み合わせて形成される箱型構造体であり、６つの平面部材のうち、箱型構造体の１辺を構成する少なくとも１組の隣接する平面部材のそれぞれは、所定の間隔で離間した複数の凸部を備え、隣接する平面部材の一方の平面部材の複数の凸部と、前記隣接する平面部材の他方の平面部材の凸部によって相対的に形成される凹部とが略垂直に相互に嵌合されることによって、隣接する平面部材が相互に結合され、箱型構造体の１辺が形成される。
【選択図】図１Ａ【図１Ａ】
0006923985.tif 000002
【図１Ｂ】
0006923985.tif 000003
【図２】
0006923985.tif 000004
【図３】
0006923985.tif 000005
【図４】
0006923985.tif 000006